(57)【要約】【課題】悪戯が回避されたボルト又はナット（特に、六角ボルト又は六角ナット）を提供することである。【解決手段】  ボックスレンチ等の締付け具により締め付けたり緩めたりする六角ボルト又は六角ナットにおいて、六角ボルト又は六角ナットの頭部の各辺上に第１切欠部と第２切欠部を設けることにより、六角ボルト又は六角ナットをボックスレンチ等の締付け具により締め付ける際には、第１切欠部と第２切欠部に挟まれた突起部分には圧縮応力のみが作用するようにしし、ボックスレンチ等の締付け具により緩める際には、突起部分には曲げによる引張応力が第２切欠部に作用するようにして、第２切欠部から六角ボルトの頭部又は六角ナットが破損することを特徴とする取外し防止六角ボルト又は六角ナット。【選択図】図１
2010255675.tif 000002
【特許請求の範囲】
【請求項１】
ボックスレンチ等の締付け具により締め付けたり緩めたりする六角ボルトにおいて、六角ボルトの頭部の各辺上に第１切欠部と第２切欠部を設けることにより、六角ボルトをボックスレンチ等の締付け具により締め付ける際には、第１切欠部と第２切欠部に挟まれた突起部分には圧縮応力のみが作用するようにし、ボックスレンチ等の締付け具により緩める際には、突起部分には曲げによる引張応力が第２切欠部に作用するようにして、第２切欠部から六角ボルトの頭部が破損することを特徴とする取外し防止六角ボルト。
【請求項２】
ボックスレンチ等の締付け具により締め付けたり緩めたりする六角ボルトにおいて、六角ボルトの頭部の各辺上に第１切欠部と第２切欠部を設けることにより、六角ボルトをボックスレンチ等の締付け具により締め付ける際には、第１切欠部と第２切欠部に挟まれた突起部分に曲げによる引張応力が第２切欠部に作用するようにして、所定の締付けトルクを超えた場合、第２切欠部から六角ボルトの頭部が破損することを特徴とする取外し防止六角ボルト。
【請求項３】
第１切欠部が、六角ボルトの角から距離Ｌ１（ｃｍ）の点Ｐ１において六角ボルトの辺に略垂直な面Ｓ１１で切欠かれた後に、緩やかな曲面Ｓ１２で切欠かれた切欠部であることを特徴とする請求項１〜２の何れかに記載の取外し防止六角ボルト。
【請求項４】
第２切欠部が、突起部分の根元部に設けた鋭利な切欠部であることを特徴とする請求項１〜３の何れかに記載の取外し防止六角ボルト。
【請求項５】
第２切欠部が、六角ボルトの角から距離Ｌ１（ｃｍ）の点Ｐ１において六角ボルトの辺に略垂直な面Ｓ２１で切欠かれた後に、緩やかな曲面Ｓ２２で切欠かれると共に、突起部分の根元部に鋭利な切欠を設けた切欠部であることを特徴とする請求項１〜４の何れかに記載の取外し防止六角ボルト。
【請求項６】
六角ボルトの頭部の形状が、変形六角形であることを特徴とする請求項１〜５の何れかに記載の取外し防止六角ボルト。
【請求項７】
ボックスレンチ等の締付け具の形状が、変形六角形であることを特徴とする請求項６に記載の取外し防止六角ボルト。
【請求項８】
ボックスレンチ等の締付け具により締め付けたり緩めたりする六角ナットにおいて、六角ナットの各辺上に第１切欠部と第２切欠部を設けることにより、六角ナットをボックスレンチ等の締付け具により締め付ける際には、第１切欠部と第２切欠部に挟まれた突起部分には圧縮応力のみが作用するようにし、ボックスレンチ等の締付け具により緩める際には、突起部分には曲げによる引張応力が第２切欠部に作用するようにして、第２切欠部から六角ナットが破損することを特徴とする取外し防止六角ナット。
【請求項９】
ボックスレンチ等の締付け具により締め付けたり緩めたりする六角ナットにおいて、六角ナットの各辺上に第１切欠部と第２切欠部を設けることにより、六角ナットをボックスレンチ等の締付け具により締め付ける際には、第１切欠部と第２切欠部に挟まれた突起部分に曲げによる引張応力が第２切欠部に作用するようにして、所定の締付けトルクを超えた場合、第２切欠部から六角ナットが破損することを特徴とする取外し防止六角ナット。
【請求項１０】
第１切欠部が、六角ナットの角から距離Ｌ１（ｃｍ）の点Ｐ１において六角ナットの辺に略垂直な面Ｓ１１で切欠かれた後に、緩やかな曲面Ｓ１２で切欠かれた切欠部であることを特徴とする請求項８〜９の何れかに記載の取外し防止六角ナット。
【請求項１１】
第２切欠部が、突起部分の根元部に設けた鋭利な切欠部であることを特徴とする請求項８〜１０の何れかに記載の取外し防止六角ナット。
【請求項１２】
第２切欠部が、六角ナットの角から距離Ｌ１（ｃｍ）の点Ｐ１において六角ナットの辺に略垂直な面Ｓ２１で切欠かれた後に、緩やかな曲面Ｓ２２で切欠かれると共に、突起部分の根元部に鋭利な切欠を設けた切欠部であることを特徴とする請求項８〜１１の何れかに記載の取外し防止六角ナット。
【請求項１３】
六角ナットが、２重ナット締め方式を用いた上ナットであることを特徴とする請求項８〜１２の何れかに記載の取外し防止六角ナット。
【請求項１４】
２重ナット締め方式を用いた上ナットが２重ナット締め方式を用いた下ナットよりも大きいことを特徴とする請求項１３に記載の取外し防止六角ナット。
【請求項１５】
六角ナットの形状が、変形六角形であることを特徴とする請求項８〜１４の何れかに記載の取外し防止六角ナット。
【請求項１６】
ボックスレンチ等の締付け具の形状が、変形六角形であることを特徴とする請求項１５に記載の取外し防止六角ナット。
【発明の詳細な説明】
【技術分野】
【０００１】
本発明は、取外し防止ボルト及びナットに関する。
特に、取外し防止六角ボルト及び六角ナットに関する。
【背景技術】
【０００２】
従来から、ボルトは取り扱いが容易なことから物の固定に広く用いられてきた。反面その取扱いの容易さから悪戯が避けられない。例えば、悪戯によって自動車のナンバープレートの盗難が行われる場合がある。
【０００３】
悪戯による自動車のナンバープレートの盗難を防止する方法として、六角ボルトの頭部の形状を変えて市販工具で取外せないようにしたものがあるが、特殊工具が必要なだけで根本的な解決には至っていない。
【０００４】
出願人側で先行技術を検索して発見した、本願発明と関連する先行技術と思われるものを、以下掲載する。
【０００５】
上記先行技術には、部材の一部が破断して、通常工具で取り外すことが出来ないボルト、ナット構造が記載されており、かつ、実用実施されているものが多い。
１．特開２００５−０１８８６９
２．特開２００３−３４３５３７
上記２件は、いずれもボルト締め付け時に規定トルク以上の回転力でボルトの一部を破壊しその破損部分を除去しておき、その後通常工具が掛からない構造としたものである。
３．特開２００８−０３２０７４
４．特開２００３−３４３５３７
上記２件は、はいずれも特種形状の工具を使うことによって締め付け時にはボルト（およびナット）を破壊することなく装着、締め付け、通常工具で取り外す方向にネジ部を回転させようとすると部材の一部が破断して取り外しが出来ないようにしたものである。
【０００６】
【特許文献１】特開２００５−０１８８６９号公報
【特許文献２】特開２００３−３４３５３７号公報
【特許文献３】特開２００８−０３２０７４号公報
【特許文献４】特開２００３−３４３５３７号公報
【発明の開示】
【発明が解決しようとする課題】
【０００７】
本発明が解決しようとする課題は、以下の通りである。
【０００８】
（１）本発明が解決しようとする第１課題
本発明が解決しようとする第１課題（以下、単に第１課題ともいう。）は、悪戯が回避されたボルト又はナット（特に、六角ボルト又は六角ナット）を提供することである。
【０００９】
（２）本発明が解決しようとする第２課題
本発明が解決しようとする第２課題（以下、単に第２課題ともいう。）は、六角ボルトの頭部又はナットの形状を確認するだけで、悪戯されたか否かが判断可能なボルト又はナット（特に、六角ボルト又は六角ナット）を提供することである。
【００１０】
（３）本発明が解決しようとする第３課題
本発明が解決しようとする第３課題（以下、単に第３課題ともいう。）は、六角ボルトの頭部又はナットの形状を見ただけで取外すことが不可能であると悪戯をしようとする者に思い込ませることにより、悪戯防止が可能なボルト又はナット（特に、六角ボルト又は六角ナット）を提供することである。
【００１１】
（４）本発明が解決しようとする第４課題
本発明が解決しようとする第４課題（以下、単に第４課題ともいう。）は、緩み止め防止策として広く用いられている２重ナット締め方式においては、悪戯でナットを緩めることにより、緩み止めの機能が失われないようにして、緩み止め防止策が有効に維持され、完全なメンテナンスフリーを実現することができるナット（特に、六角ナット）を提供することである。
【００１２】
（５）本発明が解決しようとする第５課題
本発明が解決しようとする第５課題（以下、単に第５課題ともいう。）は、所定のトルクで締め付けられたことが目視で確認することができボルト又はナット（特に、六角ボルト又は六角ナット）を提供することである。
【課題を解決するための手段】
【００１３】
課題を解決するための手段は、本願の［特許請求の範囲］の各請求項に記載の発明である。特許請求の範囲、明細書、図面等の用語の解釈上の疑義を解消すべく、以下用語の説明を行うこととする。
【００１４】
＜用語の説明＞
○ボックスレンチ等の締付け具とは、ボルトの頭やナットを回して締め付けるための工具をいう。具体的には、片口スパナ、両口スパナ、モンキースパナ、ボックスレンチ等がある。
○ボルトとは、部品と部品を締めつけ固定するための機械要素で、ねじの一つ。雄ねじが切られた軸部と頭部からなり、ナットという機械要素と共に締めたり、雌ねじが切られた穴（タップ）に締め付けて使用される。
○ナットとは、部品と部品を締めつけ固定するための機械要素である。中央に雌ネジと呼ばれる開口部が切ってあり、ボルトなどの雄ネジ部品と組合せて使用される。一般には形状が六角柱をした六角ナットを指す。
【００１５】
○六角ボルトとは、頭部が六角柱になったボルトで、単にボルトと言うと普通このタイプを指す。六角形の対辺寸法は二面幅と呼ばれ、二面にボックスレンチ等の締付け具を掛けて締付けを行う。
○六角ナットとは、六角形の形状をしたナットをいう。六角形の対辺寸法は二面幅と呼ばれ、二面にボックスレンチ等の締付け具を掛けて締付けを行う。
○六角ボルトの頭部は、ボックスレンチ等の締付け具を掛ける六角形の形状をした部位をいう。六角ボルトの構成は、頭部とねじ部に分けられる。
○切欠部（本願明細書で用いられる用語）とは、材料（六角ボルトの頭部、ナット）の本来の六角上の形状から、平面又は局面で切って削除した部分をいう。
または、材料（六角ボルトの頭部、ナット）の滑らかな縁（直線の縁も含む。）に局部的にできた凹所（たとえば穴・切り傷など）をいう。
なお、材料力学、弾性力学で用いられる切欠部（切欠き）は、後者である。
○鋭利な切欠部とは、材料（六角ボルトの頭部、ナット）の滑らかな縁（直線の縁も含む。）に局部的にできた凹所（たとえば穴・切り傷など）をいう。
○第１切欠部ＣＡ１とは、材料（六角ボルトの頭部、ナット）の本来の六角上の形状から、平面又は局面で切って削除した部分をいう。
【００１６】
第１切欠部ＣＡ１とは、具体的には、例えば、六角ボルトの角から距離Ｌ１（ｃｍ）の点Ｐ１において六角ボルトの辺に略垂直な面Ｓ１１で切欠かれた後に、緩やかな曲面Ｓ１２で切欠かれた切欠部である。
○第２切欠部ＣＡ２とは、材料（六角ボルトの頭部、ナット）の滑らかな縁（直線の縁も含む。）に局部的にできた凹所（たとえば穴・切り傷など）をいう。
【００１７】
または、六角ボルト又は六角ナットＮの角から距離Ｌ１（ｃｍ）の点Ｐ１において六角ボルト又は六角ナットの辺に略垂直な面Ｓ２１で切欠かれた後に、緩やかな曲面Ｓ２２で切欠かれると共に、突起部分Ｔの根元部に鋭利な切欠を設けた切欠部である。
○突起部分Ｔとは、第１切欠部ＣＡ１と第２切欠部ＣＡ２に挟まれた部分をいう。
【００１８】
○２重ナット締め方式とは、２個のナット（上ナット、下ナット）を使用（二重ナット、ダブル・ナット）してナットが振動などで緩まないようにしたものである。
二重ナットの止め方は以下の通りです。
（１）先ずボルトと下ナットでしっかり固定する。
（２）次に上ナットを締めていく。
（３）最後まで締まったら，下のナットにもスパナをかける。
（３）下のスパナは左回り、上野スパナは右回りに回す。
○変形六角形とは、その相対する２辺同士が平行でかつ、その相対する２辺同士の距離（二面幅）が等しい平行六辺形のうち、正六角形を除外したものをいう。
六角形とは、本願明細書では、正六角形及び変形六角形をいう。
○特殊ボックスレンチとは、ボックスレンチ等の締付け具の形状が特殊のものであり、その形状が、変形六角形であるものをいう。
【００１９】
悪戯をしようとする者が、汎用のボックスレンチを用いても、ボルト又はナット（特に、六角ボルト又は六角ナット）を、締め付けたり緩めることができないが、特殊ボックスレンチを用いれば、締め付けたり緩めることができる。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
【００２０】
本発明者は、上記の従来技術が有する各種の問題点に鑑み、鋭意検討を重ねて、本発明を完成したものである。
本発明は通常工具で締め付けることが出来、取り外す方向に回転しようとすると、部材が破断して回転トルクが掛からなくしていることを特徴的構成要件としたものであり、従来技術には記載も示唆もないものである。
課題を解決するための手段は、本願の特許請求の範囲の各請求項に記載の発明であり、その具体的な解決手段は、以下の通りである。
【００２１】
○第１の発明（請求項１に記載の発明）
上記の課題を解決するための第１の発明（請求項１に記載の発明）は、
ボックスレンチ等の締付け具により締め付けたり緩めたりする六角ボルトにおいて、六角ボルトの頭部の各辺上に第１切欠部と第２切欠部を設けることにより、六角ボルトをボックスレンチ等の締付け具により締め付ける際には、第１切欠部と第２切欠部に挟まれた突起部分には圧縮応力のみが作用するようにし、ボックスレンチ等の締付け具により緩める際には、突起部分には曲げによる引張応力が第２切欠部に作用するようにして、第２切欠部から六角ボルトの頭部が破損することを特徴とする取外し防止六角ボルトである。
【００２２】
○第２の発明（請求項２に記載の発明）
上記の課題を解決するための第２の発明（請求項２に記載の発明）は、
ボックスレンチ等の締付け具により締め付けたり緩めたりする六角ボルトにおいて、六角ボルトの頭部の各辺上に第１切欠部と第２切欠部を設けることにより、六角ボルトをボックスレンチ等の締付け具により締め付ける際には、第１切欠部と第２切欠部に挟まれた突起部分に曲げによる引張が第２切欠部に作用するようにして、所定の締付けトルクを超えた場合、第２切欠部から六角ボルトの頭部が破損することを特徴とする取外し防止六角ボルトである。
【００２３】
○第３の発明（請求項３に記載の発明）
上記の課題を解決するための第３の発明（請求項３に記載の発明）は、
第１切欠部が、六角ボルトの角から距離Ｌ１（ｃｍ）の点Ｐ１において六角ボルトの辺に略垂直な面Ｓ１１で切欠かれた後に、緩やかな曲面Ｓ１２で切欠かれた切欠部であることを特徴とする１〜２の何れかに記載の取外し防止六角ボルトである。
【００２４】
○第４の発明（請求項４に記載の発明）
上記の課題を解決するための第４の発明（請求項４に記載の発明）は、
第２切欠部が、突起部分の根元部に設けた鋭利な切欠部であることを特徴とする請求項１〜３の何れかに記載の取外し防止六角ボルトである。
【００２５】
○第５の発明（請求項５に記載の発明）
上記の課題を解決するための第５の発明（請求項５に記載の発明）は、
第２切欠部が、六角ボルトの角から距離Ｌ１（ｃｍ）の点Ｐ１において六角ボルトの辺に略垂直な面Ｓ２１で切欠かれた後に、緩やかな曲面Ｓ２２で切欠かれると共に、突起部分の根元部に鋭利な切欠を設けた切欠部であることを特徴とする請求項１〜４の何れかに記載の取外し防止六角ボルトである。
【００２６】
○第６の発明（請求項６に記載の発明）
上記の課題を解決するための第６の発明（請求項６に記載の発明）は、
六角ボルトの頭部の形状が、変形六角形であることを特徴とする請求項１〜５の何れかに記載の取外し防止六角ボルトである。
【００２７】
○第７の発明（請求項７に記載の発明）
上記の課題を解決するための第７の発明（請求項７に記載の発明）は、
ボックスレンチ等の締付け具の形状が、変形六角形であることを特徴とする請求項６に記載の取外し防止六角ボルトである。
【００２８】
○第８の発明（請求項８に記載の発明）
上記の課題を解決するための第８の発明（請求項８に記載の発明）は、
ボックスレンチ等の締付け具により締め付けたり緩めたりする六角ナットにおいて、六角ナットの各辺上に第１切欠部と第２切欠部を設けることにより、六角ナットをボックスレンチ等の締付け具により締め付ける際には、第１切欠部と第２切欠部に挟まれた突起部分には圧縮応力のみが作用するようにし、ボックスレンチ等の締付け具により緩める際には、突起部分には曲げによる引張応力が第２切欠部に作用するようにして、第２切欠部から六角ナットが破損することを特徴とする取外し防止六角ナットである。
【００２９】
○第９の発明（請求項９に記載の発明）
上記の課題を解決するための第９の発明（請求項９に記載の発明）は、
ボックスレンチ等の締付け具により締め付けたり緩めたりする六角ナットにおいて、六角ナットの各辺上に第１切欠部と第２切欠部を設けることにより、六角ナットをボックスレンチ等の締付け具により締め付ける際には、第１切欠部と第２切欠部に挟まれた突起部分に曲げによる引張応力が第２切欠部に作用するようにして、所定の締付けトルクを超えた場合、第２切欠部から六角ナットが破損することを特徴とする取外し防止六角ナットである。
【００３０】
○第１０の発明（請求項１０に記載の発明）
上記の課題を解決するための第１０の発明（請求項１０に記載の発明）は、
第１切欠部が、六角ナットの角から距離Ｌ１（ｃｍ）の点Ｐ１において六角ナットの辺に略垂直な面Ｓ１１で切欠かれた後に、緩やかな曲面Ｓ１２で切欠かれた切欠部であることを特徴とする請求項８〜９の何れかに記載の取外し防止六角ナットである。
【００３１】
○第１１の発明（請求項１１に記載の発明）
上記の課題を解決するための第１１の発明（請求項１１に記載の発明）は、
第２切欠部が、突起部分の根元部に設けた鋭利な切欠部であることを特徴とする請求項８〜１０の何れかに記載の取外し防止六角ナットである。
【００３２】
○第１２の発明（請求項１２に記載の発明）
上記の課題を解決するための第１２の発明（請求項１２に記載の発明）は、
第２切欠部が、六角ナットの角から距離Ｌ１（ｃｍ）の点Ｐ１において六角ナットの辺に略垂直な面Ｓ２１で切欠かれた後に、緩やかな曲面Ｓ２２で切欠かれると共に、突起部分の根元部に鋭利な切欠を設けた切欠部であることを特徴とする請求項８〜１１の何れかに記載の取外し防止六角ナットである。
【００３３】
○第１３の発明（請求項１３に記載の発明）
上記の課題を解決するための第１３の発明（請求項１３に記載の発明）は、
六角ナットが、２重ナット締め方式を用いた上ナットであることを特徴とする請求項８〜１２の何れかに記載の取外し防止六角ナットである。
【００３４】
○第１４の発明（請求項１４に記載の発明）
上記の課題を解決するための第１４の発明（請求項１４に記載の発明）は、
上ナットが下ナットよりも大きいことを特徴とする請求項１３に記載の取外し防止六角ナットである。
【００３５】
○第１５の発明（請求項１５に記載の発明）
上記の課題を解決するための第１５の発明（請求項１５に記載の発明）は、
六角ナットの形状が、変形六角形であることを特徴とする請求項８〜１４の何れかに記載の取外し防止六角ナットである。
【００３６】
○第１６の発明（請求項１６に記載の発明）
上記の課題を解決するための第１６の発明（請求項１６に記載の発明）は、
ボックスレンチ等の締付け具の形状が、変形六角形であることを特徴とする請求項１５に記載の取外し防止六角ナットである。
【発明の効果】
【００３７】
本発明に係る、取外し防止六角ボルト又は六角ナットは、上記のような特徴的構成要件から構成され、特徴的構成要件に応じた、以下のような本願発明特有の効果を奏する。
また、上記のような特徴的構成要件から構成された取外し防止六角ボルト又は六角ナットによれば、本願発明の課題を十分解消することができた。
【００３８】
○第１の発明の効果
第１の発明によれば、ボックスレンチ等の締付け具により締め付けたり緩めたりする六角ボルトにおいて、六角ボルトの頭部の各辺上に第１切欠部と第２切欠部を作ることにより、六角ボルトをボックスレンチ等の締付け具により締め付ける際には、第１切欠部と第２切欠部に挟まれた突起部分には圧縮応力のみが作用し、ボックスレンチ等の締付け具により緩める際には、突起部分には曲げによる引張応力が第２切欠部に作用するようにして第２切欠部から六角ボルトの頭部が破損することにより取外しを防止する六角ボルトという特徴的構成要件により、
【００３９】
本発明に係る取外し防止六角ボルトをボックスレンチ等の締付け具により締め付ける際には、第１切欠部と第２切欠部に挟まれた突起部分には圧縮応力のみが作用し破損することがなく、ボックスレンチ等の締付け具により緩める際には、突起部分には曲げによる引張応力が第２切欠部に作用するようにして第２切欠部からボルトの頭部が破損することにより、六角ボルトが取外し不可能となることにより、ボルト緩めの悪戯が防止できるという当業者が予測不可能な顕著な効果を奏することができた（すなわち、本発明の第１課題を達成することができた。）。
【００４０】
本発明の上記特徴的構成要件により、
ボルト緩めの悪戯がなされた場合、ボルトの頭部が第２切欠部から破損しているので、ボルトの頭部の破損の有無を確認するだけで、悪戯されたか否かが判断可能な六角ボルトを提供することができたという当業者が予測不可能な顕著な効果を奏することができた（すなわち、本発明の第２課題を達成することができた。）。
【００４１】
本発明の上記特徴的構成要件により、
六角ボルトの頭部の形状には、本発明の特徴的構成要件が組み込まれているので、六角ボルトの頭部の形状を見ただけで取外すという悪戯をすることが不可能であると悪戯をしようとする者に思い込ませることにより、悪戯防止が可能な六角ボルトを提供することができたという当業者が予測不可能な顕著な効果を奏することができた（すなわち、本発明の第３課題を達成することができた。）。
【００４２】
○第２の発明の効果
第２の発明によれば、ボックスレンチ等の締付け具により締め付けたり緩めたりする六角ボルトにおいて、六角ボルトの頭部の各辺上に第１切欠部と第２切欠部を設けることにより、六角ボルトをボックスレンチ等の締付け具により締め付ける際には、第１切欠部と第２切欠部に挟まれた突起部分に曲げによる引張応力が第２切欠部に作用するようにして、所定の締付けトルクを超えた場合、第２切欠部から六角ボルトの頭部が破損することを特徴とする取外し防止六角ボルトという特徴的構成要件により、構成要件は相違するものの、
第１の発明の効果と同じ当業者が予測不可能な顕著な効果を奏することができた。
【００４３】
○第３の発明の効果
第３の発明によれば、第１切欠部が、六角ボルトの角から距離Ｌ１ｃｍの点Ｐ１において六角ボルトの辺に略垂直な面Ｓ１１で切欠かれた後に、緩やかな曲面Ｓ１２で切欠かれた切欠部であることを特徴とする請求項１〜２の何れかに記載の取外し防止六角ボルトの具体的構成を開示することにより、本発明が解決しようとする第１課題、第２課題、第３課題を達成することができ、当業者が予測不可能な顕著な効果を奏することができた。
【００４４】
○第４の発明の効果
第４の発明によれば、第２切欠部が、突起部分の根元部に設けた鋭利な切欠部であることを特徴とする請求項１〜３の何れかに記載の取外し防止六角ボルトの具体的構成を開示することにより、本発明が解決しようとする第１課題、第２課題、第３課題を達成することができ、当業者が予測不可能な顕著な効果を奏することができた。
【００４５】
○第５の発明の効果
第５の発明によれば、第２切欠部が、六角ボルトの角から距離Ｌ１ｃｍの点Ｐ１において六角ボルトの辺に略垂直な面Ｓ２１で切欠かれた後に、緩やかな曲面Ｓ２２で切欠かれると共に、突起部分の根元部に鋭利な切欠を設けた切欠部であることを特徴とする請求項１〜４の何れかに記載の取外し防止六角ボルトの具体的構成を開示することにより、本発明が解決しようとする第１課題、第２課題、第３課題を達成することができ、当業者が予測不可能な顕著な効果を奏することができた。
【００４６】
○第６の発明の効果
第６の発明によれば、六角ボルトの頭部の形状が、変形六角形であることを特徴とする請求項１〜５の何れかに記載の取外し防止六角ボルトという特徴的構成要件により、
本発明が解決しようとする第１課題、第２課題、第３課題を達成することができ、当業者が予測不可能な顕著な効果を奏することができた。
【００４７】
さらに、悪戯をしようとする者が、汎用のボックスレンチを用いても、ボルト又はナット（特に、六角ボルト又は六角ナット）を、締め付けたり緩めることができないが、特殊ボックスレンチを用いれば、締め付けたり緩めることができるという当業者が予測不可能な顕著な効果を奏することができた。
【００４８】
○第７の発明の効果
第７の発明によれば、ボックスレンチ等の締付け具の形状が、変形六角形であることを特徴とする請求項６に記載の取外し防止六角ボルトという特徴的構成要件により、
第６の発明の効果と同じ当業者が予測不可能な顕著な効果を奏することができた
【００４９】
○第８の発明の効果
第８の発明によれば、ボックスレンチ等の締付け具により締め付けたり緩めたりする六角ナットにおいて、六角ナットの各辺上に第１切欠部と第２切欠部を作ることにより、六角ナットをボックスレンチ等の締付け具により締め付ける際には、第１切欠部と第２切欠部に挟まれた突起部分には圧縮応力のみが作用し、ボックスレンチ等の締付け具により緩める際には、突起部分には曲げによる引張応力が第２切欠部に作用するようにして第２切欠部から六角ナットが破損することにより取外しを防止する六角ナットという特徴的構成要件により、
【００５０】
本発明に係る取外し防止六角ナットをボックスレンチ等の締付け具により締め付ける際には、第１切欠部と第２切欠部に挟まれた突起部分には圧縮応力のみが作用し破損することがなく、ボックスレンチ等の締付け具により緩める際には、突起部分には曲げによる引張応力が第２切欠部に作用するようにして第２切欠部から六角ナットが破損することにより、六角ナットが取外し不可能となることにより、ナット緩めの悪戯が防止できるという当業者が予測不可能な顕著な効果を奏することができた（すなわち、本発明の第１課題を達成することができた。）。
【００５１】
本発明の上記特徴的構成要件により、
ナット緩めの悪戯がなされた場合、ナットの第２切欠部から破損しているので、ナットの破損の有無を確認するだけで、悪戯されたか否かが判断可能な六角ナットを提供することができたという当業者が予測不可能な顕著な効果を奏することができた（すなわち、本発明の第２課題を達成することができた。）。
【００５２】
本発明の上記特徴的構成要件により、
六角ナットの形状には、本発明の特徴的構成要件が組み込まれているので、六角ナットの形状を見ただけで取外すという悪戯をすることが不可能であると悪戯をしようとする者に思い込ませることにより、悪戯防止が可能六角ナットを提供することができたという当業者が予測不可能な顕著な効果を奏することができた（すなわち、本発明の第３課題を達成することができた。）。
【００５３】
○第９の発明の効果
第９の発明によれば、ボックスレンチ等の締付け具により締め付けたり緩めたりする六角ナットにおいて、六角ナットの各辺上に第１切欠部と第２切欠部を設けることにより、六角ナットをボックスレンチ等の締付け具により締め付ける際には、第１切欠部と第２切欠部に挟まれた突起部分に曲げによる引張応力が第２切欠部に作用するようにして、所定の締付けトルクを超えた場合、第２切欠部から六角ナットが破損することを特徴とする取外し防止六角ナットという特徴的構成要件により、構成要件は相違するものの、
第８の発明の効果と同じ当業者が予測不可能な顕著な効果を奏することができた。
【００５４】
○第１０の発明の効果
第１０の発明によれば、第１切欠部が、六角ナットの角から距離Ｌ１ｃｍの点Ｐ１において六角ナットの辺に略垂直な面Ｓ１１で切欠かれた後に、緩やかな曲面Ｓ１２で切欠かれた切欠部であることを特徴とする請求項８〜９の何れかに記載の取外し防止六角ナットの具体的構成を開示することにより、本発明が解決しようとする第１課題、第２課題、第３課題を達成することができ、当業者が予測不可能な顕著な効果を奏することができた。
【００５５】
○第１１の発明の効果
第１１の発明によれば、第２切欠部が、突起部分の根元部に設けた鋭利な切欠部であることを特徴とする請求項８〜１０の何れかに記載の取外し防止六角ナットの具体的構成を開示することにより、本発明が解決しようとする第１課題、第２課題、第３課題を達成することができ、当業者が予測不可能な顕著な効果を奏することができた。
【００５６】
○第１２の発明の効果
第１２の発明によれば、第２切欠部が、六角ナットの角から距離Ｌ１ｃｍの点Ｐ１において六角ナットの辺に略垂直な面Ｓ２１で切欠かれた後に、緩やかな曲面Ｓ２２で切欠かれると共に、突起部分の根元部に鋭利な切欠を設けた切欠部であることを特徴とする請求項８〜１１の何れかに記載の取外し防止六角ナットの具体的構成を開示することにより、本発明が解決しようとする第１課題、第２課題、第３課題を達成することができ、当業者が予測不可能な顕著な効果を奏することができた。
【００５７】
○第１３の発明の効果
第１３の発明によれば、六角ナットが、２重ナット締め方式を用いた上ナットであることを特徴とする請求項８〜１２の何れかに記載の取外し防止六角ナットの具体的構成を開示することにより、本発明が解決しようとする第１課題、第２課題、第３課題を達成することができ、当業者が予測不可能な顕著な効果を奏することができた。
【００５８】
さらに、ゆるみ止め防止策として広く用いられている２重ナット締め方式において本発明に係るナットが採用されている場合、悪戯でナットを緩めることが不可能となり、ナットのゆるみ止め防止策が有効に維持され、完全なメンテナンスフリーを実現することができるナット（特に、六角ナット）を提供することができたという当業者が予測不可能な顕著な効果を奏することができた（すなわち、本発明の第４課題を達成することができた。
【００５９】
○第１４の発明の効果
第１４の発明によれば、上ナットが下ナットよりも大きいことを特徴とする請求項１３に記載の取外し防止六角ナットの具体的構成を開示することにより、第１３の発明の効果と同じ当業者が予測不可能な顕著な効果を奏することができた。
【００６０】
さらに、上記の特徴的構成要件により、上ナットが本願発明のナットを使用して破損しても下ナットにスパナ等を掛けて操作できなくなるので、悪戯でナットを緩めることが不可能となり、ナットのゆるみ止め防止策が有効に維持され、完全なメンテナンスフリーを実現することができた。
【００６１】
○第１５の発明の効果
第１５の発明によれば、六角ナットの形状が、変形六角形であることを特徴とする請求項8〜１４の何れかに記載の取外し防止六角ナットの具体的構成を開示することにより、
本発明が解決しようとする第１課題、第２課題、第３課題を達成することができ、当業者が予測不可能な顕著な効果を奏することができた。
【００６２】
さらに、悪戯をしようとする者が、汎用のボックスレンチを用いても、ナット（特に、六角ナット）を、締め付けたり緩めることができないが、特殊ボックスレンチを用いれば、締め付けたり緩めることができるという当業者が予測不可能な顕著な効果を奏することができた。
【００６３】
○第１６の発明の効果
第１６の発明によれば、ボックスレンチ等の締付け具の形状が、変形六角形であることを特徴とする請求項１５に記載の取外し防止六角ナットの具体的構成を開示することにより、第１５の発明の効果と同じ当業者が予測不可能な顕著な効果を奏することができた。
【発明を実施するための最良の形態】
【００６４】
以下、本発明に係る、取外し防止六角ボルト（取外し防止六角ナット）に関する最良の実施形態について、図面を参照しながら説明する（図１〜図９）。
【００６５】
図１は、本願発明に係る、取外し防止六角ボルト（取外し防止六角ナット）の平面図である。
図２は、本願発明に係る、切欠き後の取外し防止六角ボルト（取外し防止六角ナット）の平面図である。
図３は、本願発明に係る、取外し防止六角ボルト（取外し防止六角ナット）の一部拡大図である。
図４は、本願発明（他の実施例）に係る、取外し防止六角ボルト（取外し防止六角ナット）の一部拡大図である。
図５は、本願発明に係る、取外し防止六角ボルト（取外し防止六角ナット）の締め付けたり緩めたりする際の状態図である。
図５（ａ）は、締め付ける際の状態図、図５（ｂ）は、緩める際の状態図である。
図６は、本願発明に係る、取外し防止六角ボルト（取外し防止六角ナット）の締め付けたり緩めたりする際の応力状態図である。
図６（ａ）は、締め付ける際の応力状態図、図６（ｂ）は緩める際の応力状態図である。
図７は、本願発明（他の態様）に係る、取外し防止六角ボルト（取外し防止六角ナット）の平面図である。
図８は、本願発明（他の態様）に係る、取外し防止六角ボルト（取外し防止六角ナット）の平面図である。
図９は、本願発明（他の態様）に係る、本願発明に係る、取外し防止六角ボルト（取外し防止六角ナット）の平面図である。
＊＊＊＊＊＊＊＊＊＊＊＊＊＊＊＊＊＊＊＊＊＊＊＊＊＊＊＊＊＊＊＊＊＊＊
【００６６】
＜取外し防止六角ボルト＞
（１）実施態様１
本発明に係る、取外し防止六角ボルト１００は、ボックスレンチ等の締付け具により締め付けたり緩めたりする六角ボルトＢである（図１、図２）。
本発明に係る、取外し防止六角ボルト１００において、
【００６７】
上記六角ボルトＢの頭部Ｂ１の各辺上に第１切欠部と第２切欠部を設けることにより、六角ボルトＢをボックスレンチ等の締付け具により締め付ける際には、第１切欠部ＣＡ１と第２切欠部ＣＡ２に挟まれた突起部分Ｔには圧縮応力σ１のみが作用するようにし、ボックスレンチ等の締付け具により緩める際には、突起部分には曲げによる引張応力σ２が第２切欠部ＣＡ２に作用するようにして、第２切欠部ＣＡ２から六角ボルトＢの頭部Ｂ１が破損することにより六角ボルトＢの取外しができないようにした。
＊＊＊＊＊＊＊＊＊＊＊＊＊＊＊＊＊＊＊＊＊＊＊＊＊＊＊＊＊＊＊＊＊＊＊
【００６８】
上記取外し防止六角ボルト１００において、
第１切欠部ＣＡ１が、六角ボルトＢの角Ｐから距離Ｌ１（ｃｍ）の点Ｐ１において六角ボルトＢの辺に略垂直な面Ｓ１１で切欠かれた後に、緩やかな曲面Ｓ１２で切欠かれた切欠部である（図３）。
＊＊＊＊＊＊＊＊＊＊＊＊＊＊＊＊＊＊＊＊＊＊＊＊＊＊＊＊＊＊＊＊＊＊＊
【００６９】
上記取外し防止六角ボルト１００において、
第２切欠部ＣＡ２が、突起部分Ｔの根元部に設けた鋭利な切欠部である（図３）。
＊＊＊＊＊＊＊＊＊＊＊＊＊＊＊＊＊＊＊＊＊＊＊＊＊＊＊＊＊＊＊＊＊＊＊
【００７０】
上記取外し防止六角ボルト１００において、
第２切欠部ＣＡ２が、六角ボルトＢの角Ｐから距離Ｌ１（ｃｍ）の点Ｐ１において六角ボルトＢの辺に略垂直な面Ｓ２１で切欠かれた後に、緩やかな曲面Ｓ２２で切欠かれると共に、突起部分Ｔの根元部に鋭利な切欠を設けた切欠部であってもよい（図４）。
＊＊＊＊＊＊＊＊＊＊＊＊＊＊＊＊＊＊＊＊＊＊＊＊＊＊＊＊＊＊＊＊＊＊＊
【００７１】
（２）実施態様２
本発明に係る、取外し防止六角ボルト１００は、ボックスレンチ等の締付け具により締め付けたり緩めたりする六角ボルトＢである。
本発明に係る、取外し防止六角ボルト１００は、
【００７２】
上記六角ボルトＢの頭部Ｂ１の各辺上に第１切欠部ＣＡ１と第２切欠部ＣＡ２を実施態様１と逆に設けることにより、六角ボルトＢをボックスレンチ等の締付け具により締め付ける際には、第１切欠部ＣＡ１と第２切欠部ＣＡ２に挟まれた突起部分Ｔには曲げによる引張応力σ２が第２切欠部ＣＡ２に作用するようにして、所定の締付けトルクＴ０を超えた場合、第２切欠部ＣＡ２から六角ボルトＢの頭部Ｂ１が破損することにより六角ボルトＢの取外しができないようにした（図９）。
【００７３】
上記取外し防止六角ボルト１００において、
第１切欠部ＣＡ１が、六角ボルトＢの角Ｐから距離Ｌ１（ｃｍ）の点Ｐ１において六角ボルトＢの辺に略垂直な面Ｓ１１で切欠かれた後に、緩やかな曲面Ｓ１２で切欠かれた切欠部である（図９）。
＊＊＊＊＊＊＊＊＊＊＊＊＊＊＊＊＊＊＊＊＊＊＊＊＊＊＊＊＊＊＊＊＊＊＊
【００７４】
上記取外し防止六角ボルトにおいて、
第２切欠部ＣＡ２が、突起部分Ｔの根元部に設けた鋭利な切欠部である（図９）。
＊＊＊＊＊＊＊＊＊＊＊＊＊＊＊＊＊＊＊＊＊＊＊＊＊＊＊＊＊＊＊＊＊＊＊
【００７５】
＜取外し防止ナット＞
（３）実施態様３
本発明に係る、取外し防止六角ナット２００は、ボックスレンチ等の締付け具５０により締め付けたり緩めたりする六角ナットＮである。
本発明に係る、取外し防止六角ナット２００は、
【００７６】
上記六角ナットＮの各辺上に第１切欠部ＣＡ１と第２切欠部ＣＡ２を設けることにより、六角ナットＮをボックスレンチ等の締付け具により締め付ける際には、第１切欠部ＣＡ１と第２切欠部ＣＡ２に挟まれた突起部分Ｔには圧縮応力σ１のみが作用するようにし、ボックスレンチ等の締付け具により緩める際には、突起部分には曲げによる引張応力σ２が第２切欠部ＣＡ２に作用するようにして、第２切欠部ＣＡ２から六角ナットＮが破損することにより、六角ナットＮの取外しができないようにした。
＊＊＊＊＊＊＊＊＊＊＊＊＊＊＊＊＊＊＊＊＊＊＊＊＊＊＊＊＊＊＊＊＊＊＊
【００７７】
上記取外し防止六角ナット２００において、
第１切欠部ＣＡ１が、六角ナットＮの角から距離Ｌ１（ｃｍ）の点Ｐ１において六角ナットＮの辺に略垂直な面Ｓ１１で切欠かれた後に、緩やかな曲面Ｓ１２で切欠かれた切欠部である。
＊＊＊＊＊＊＊＊＊＊＊＊＊＊＊＊＊＊＊＊＊＊＊＊＊＊＊＊＊＊＊＊＊＊＊
上記取外し防止六角ナット２００において、
第２切欠部ＣＡ２が、突起部分Ｔの根元部に設けた鋭利な切欠部であってもよい。
＊＊＊＊＊＊＊＊＊＊＊＊＊＊＊＊＊＊＊＊＊＊＊＊＊＊＊＊＊＊＊＊＊＊＊
【００７８】
上記取外し防止六角ナット２００において、
第２切欠部ＣＡ２が、六角ナットＮの角から距離Ｌ１（ｃｍ）の点Ｐ１において六角ナットの辺に略垂直な面Ｓ２１で切欠かれた後に、緩やかな曲面Ｓ２２で切欠かれると共に、突起部分Ｔの根元部に鋭利な切欠を設けた切欠部である。
＊＊＊＊＊＊＊＊＊＊＊＊＊＊＊＊＊＊＊＊＊＊＊＊＊＊＊＊＊＊＊＊＊＊＊
上記取外し防止六角ナット２００において、
上記取外し防止六角ナット２００は、２重ナット締め方式を用いた上ナットである場合にも適用される。
＊＊＊＊＊＊＊＊＊＊＊＊＊＊＊＊＊＊＊＊＊＊＊＊＊＊＊＊＊＊＊＊＊＊＊
上記において、上ナットが下ナットよりも大きいことが望ましい。
＊＊＊＊＊＊＊＊＊＊＊＊＊＊＊＊＊＊＊＊＊＊＊＊＊＊＊＊＊＊＊＊＊＊＊
【００７９】
（４）実施態様4
本発明に係る、取外し防止六角ナット2００は、ボックスレンチ等の締付け具により締め付けたり緩めたりする六角ナットNである。
本発明に係る、取外し防止六角ナット2００は、
【００８０】
上記六角ナットNの各辺上に第１切欠部ＣＡ１と第２切欠部ＣＡ２を実施態様１と逆に設けることにより、六角ナットNをボックスレンチ等の締付け具により締め付ける際には、第１切欠部ＣＡ１と第２切欠部ＣＡ２に挟まれた突起部分Ｔには曲げによる引張応力σ２が第２切欠部ＣＡ２に作用するようにして、所定の締付けトルクＴ０を超えた場合、第２切欠部ＣＡ２から六角ナットＮが破損することにより六角ボルトＢの取外しができないようにした（図９）。
＊＊＊＊＊＊＊＊＊＊＊＊＊＊＊＊＊＊＊＊＊＊＊＊＊＊＊＊＊＊＊＊＊＊＊
【００８１】
上記取外し防止六角ナット2００において、
第１切欠部ＣＡ１が、六角ボルトＢの角Ｐから距離Ｌ１（ｃｍ）の点Ｐ１において六角ボルトＢの辺に略垂直な面Ｓ１１で切欠かれた後に、緩やかな曲面Ｓ１２で切欠かれた切欠部である（図９）。
＊＊＊＊＊＊＊＊＊＊＊＊＊＊＊＊＊＊＊＊＊＊＊＊＊＊＊＊＊＊＊＊＊＊＊
上記取外し防止六角ナット2００において、
第２切欠部ＣＡ２が、突起部分Ｔの根元部に設けた鋭利な切欠部である（図９）。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
【００８２】
実施態様（１）〜（４）において、六角ボルトの頭部、又は六角ナットの形状が、変形六角形であってもよい。
＊＊＊＊＊＊＊＊＊＊＊＊＊＊＊＊＊＊＊＊＊＊＊＊＊＊＊＊＊＊＊＊＊＊＊
実施態様（１）〜（４）において、ボックスレンチ等の締付け具の形状が、変形六角形であってもよい。
＊＊＊＊＊＊＊＊＊＊＊＊＊＊＊＊＊＊＊＊＊＊＊＊＊＊＊＊＊＊＊＊＊＊＊
実施態様（１）〜（４）において、第２切欠部ＣＡ２が、突起部分Ｔの根元部に複数個設けてもよい（図７）。
【図面の簡単な説明】
【００８３】
【図１】図１は、本願発明に係る、取外し防止六角ボルト（取外し防止六角ナット）の平面図である。
【図２】図２は、本願発明に係る、切欠き後の取外し防止六角ボルト（取外し防止六角ナット）の平面図である。
【図３】図３は、本願発明に係る、取外し防止六角ボルト（取外し防止六角ナット）の一部拡大図である。
【図４】図４は、本願発明（他の実施例）に係る、取外し防止六角ボルト（取外し防止六角ナット）の一部拡大図である。
【図５】図５は、本願発明に係る、取外し防止六角ボルト（取外し防止六角ナット）の締め付けたり緩めたりする際の状態図である。図５（ａ）は、締め付ける際の状態図、図５（ｂ）は、緩める際の状態図である。
【図６】図６は、本願発明に係る、取外し防止六角ボルト（取外し防止六角ナット）の締め付けたり緩めたりする際の応力状態図である。図６（ａ）は、締め付ける際の応力状態図、図６（ｂ）は緩める際の応力状態図である。
【図７】図７は、本願発明（他の態様）に係る、取外し防止六角ボルト（取外し防止六角ナット）の平面図である。
【図８】図８は、本願発明（他の態様）に係る、取外し防止六角ボルト（取外し防止六角ナット）の平面図である。
【図９】図９は、本願発明（他の態様）に係る、本願発明に係る、取外し防止六角ボルト（取外し防止六角ナット）の平面図である。
【符号の説明】
【００８４】
１００            取外し防止六角ボルト
Ｂ                六角ボルト  
Ｂ１              六角ボルトの頭部
ＣＡ１            第１切欠部
ＣＡ２            第２切欠部
Ｔ                突起部分
Ｐ１              六角ボルトＢの角Ｐから距離Ｌ１（ｃｍ）の点
Ｓ１１            六角ボルトＢの辺に略垂直な面
Ｓ１２            緩やかな曲面
２００            取外し防止六角ナット
Ｎ                六角ナット  
５０              ボックスレンチ等の締付け具                                                                                
【図１】
2010255675.tif 000003
【図３】
2010255675.tif 000004
【図４】
2010255675.tif 000005
【図５】
2010255675.tif 000006
【図６】
2010255675.tif 000007
【図７】
2010255675.tif 000008
【図８】
2010255675.tif 000009
【図９】
2010255675.tif 000010
【図２】
2010255675.tif 000011